(57)【特許請求の範囲】
【請求項１】
隣り合う庫壁構成断熱パネル(1)(2)の枠材(5)(6)同士が相互に嵌め合わせられることにより形成された目地部(7) の庫内側開口部(7a)および庫外側開口部(7b)に汎用シーリング材(8)(8)がそれぞれ充填されている環境試験庫等において、該目地部(7) の庫内側開口部(7a)寄り部分において両枠材(5)(6)の側縁部同士の間に庫内側開口部(7a)に通じるシーリング材嵌入用中空部(10)が形成され、該中空部(10)内に吸水膨潤性シーリング材(11)が、庫内側開口部(7a)に対向する枠材(6) の開口対向壁部(6c)に接合されて中空部(10)の略全長にわたって収められ、環境試験庫等の高温・高湿運転時に汎用シーリング材(8) によるシール部を透過した水分を吸収して膨潤した吸水膨潤性シーリング材(11)により中空部(10)が密閉されるようになされている、環境試験庫等における断熱パネル連結部のシール装置。
【発明の詳細な説明】
【０００１】
【発明の属する技術分野】
この発明は、環境試験庫および加湿庫（以下、環境試験庫等という）における断熱パネル連結部のシール装置に関するものである。
【０００２】
【従来の技術】
従来、庫内を１００℃の高温、および湿度１００％の高湿で使用する環境試験庫あるいは加湿庫をパネル組立て工法により製作した場合、そのパネル嵌合目地部（壁と壁、壁と天井または床）には、シーリング材を充填する必要があった。
【０００３】
ところが、例えば施工上の欠陥や、運転中のシーリング材の切れなどに起因して、水蒸気がシール部を透過して、目地部の内部に侵入すると、蒸気は、さらにパネルの芯材内に侵入して、表面板を剥離させたり、芯材を劣化させたりするとともに、目地部から水蒸気が庫外に噴き出したり、あるいはまた結露水としてパネルの外部に流出するという問題が生じた。
【０００４】
そこで、このような問題を除去するために、従来、▲１▼目地部の庫内側開口部を覆うように板材を貼り付けたり、▲２▼パネル枠材の嵌合部分にパッキンを介在させたりしていた。
【０００５】
【発明が解決しようとする課題】
しかしながら、前者の▲１▼の方法では、目地部の庫内側開口部を覆う板材によって外観が著しく損なわれるし、施工性が悪いばかりか、板材の取付けのためにビスあるいはリベットを使用すると、それらの挿入孔から蒸気あるいは水がパネルの内部に侵入して、前述の問題が生じるし、また▲２▼の方法では、パネル枠材を嵌め合わせるために大きな力が必要となり、しかもパッキンの反発力により目地部が広がるため、施工作業が非常に難しいという問題があった。
【０００６】
この発明の目的は、上記の従来技術の問題を解決し、環境試験庫等の庫内が高温・高湿の状態となされていても、断熱パネル連結部の目地部からパネルの内部へ水蒸気が侵入するのを確実に防止することができて、庫内の気密性を長期間保持し得るとともに、断熱パネル自体の断熱性の低下および強度の低下を防止し得、しかも施工性にすぐれていて、断熱パネルの接続作業を容易かつ確実に行ない得る、環境試験庫等における断熱パネル連結部のシール装置を提供しようとするにある。
【０００７】
【課題を解決するための手段】
この発明は、上記の目的を達成するために、隣り合う庫壁構成断熱パネルの枠材同士が相互に嵌め合わせられることにより形成された目地部の庫内側開口部および庫外側開口部に汎用シーリング材がそれぞれ充填されている環境試験庫等において、該目地部の庫内側開口部寄り部分において両枠材の側縁部同士の間に庫内側開口部に通じるシーリング材嵌入用中空部が形成され、該中空部内に吸水膨潤性シーリング材が、庫内側開口部に対向する枠材の開口対向壁部に接合されて中空部の略全長にわたって収められ、環境試験庫等の高温・高湿運転時に汎用シーリング材によるシール部を透過した水分を吸収して膨潤した吸水膨潤性シーリング材により中空部が密閉されるようになされている、環境試験庫等における断熱パネル連結部のシール装置を要旨としている。
【０００８】
ここで、上記汎用シーリング材としては、シリコーン・シーリング材、ウレタン系シーリング材、ブチル・シーリング材、あるいはフッ素ゴム・シーリング材などよりなるシーリング材を使用し得る。
【０００９】
また、上記吸水膨潤性シーリング材としては、例えばポリウレタンエラストマー自体に水膨潤能力を持たせたエーテル型ポリウレタンなどを使用する。
【００１０】
【発明の実施の形態】
つぎに、この発明の実施の形態を、図面を参照して説明する。
【００１１】
図１において、例えば環境試験庫の庫壁を構成する断熱パネル(1)(2)のうち、隣り合う庫壁構成断熱パネル(1)(2)の凹凸状枠材(5)(6)同士が相互に嵌め合わせられることにより、目地部(7) が形成され、該目地部(7) の庫内側開口部(7a)および庫外側開口部(7b)にシリコン・シーリング材などよりなる汎用シーリング材(8)(8)がそれぞれ充填されて、開口部(7a)(7b)がそれぞれ塞がれている。
【００１２】
そして、この発明においては、該目地部(7) の庫内側開口部(7a)寄り部分において両枠材(5)(6)の側縁部同士の間に庫内側開口部(7a)に通じるシーリング材嵌入用中空部(10)が形成され、該中空部(10)内に吸水膨潤性シーリング材(11)が、庫内側開口部(7a)に対向する枠材(6) の開口対向壁部(6c)に接合されて中空部(10)の略全長にわたって収められている。従って、中空部(10)内において、吸水膨潤性シーリング材(11)は汎用シーリング材(8) と対向するように配置されている。
【００１３】
図２に示すように、上記環境試験庫の高温・高湿運転時には、汎用シーリング材(8) によるシール部を透過した水分を吸収して膨潤した吸水膨潤性シーリング材(11)により中空部(10)が密閉され、完全なシールが果たされるようになっている。
【００１４】
なお、上記吸水膨潤性シーリング材(11)は、環境試験庫の組立てのさい、庫壁を構成する一方の断熱パネル(2) の凸状枠材(6) の幅広の開口対向壁部(6c)に、予め接合されるものである。
【００１５】
これによって、吸水膨潤性シーリング材(11)は他方の断熱パネル(1) の凹状枠材(5) とは接触しないため、環境試験庫の組立てのさいの隣接断熱パネル(1)(2)の凹凸状枠材(5)(6)同士の嵌合わせ作業が非常に簡単で、施工容易であるとともに、目地部(7) の間隔を一定に確実にとることができる。
【００１６】
また、シール性については、先に述べたような例えば施工上の欠陥や、運転中の汎用シーリング材(8) の切れなどの何らかの理由により、水蒸気が汎用シーリング材(8) を透過して、目地部の内部に侵入しても、吸水膨潤性シーリング材(11)が膨潤して、いわゆる自己シール作用により、蒸気のパネル内部への侵入や、庫外への噴き出し、あるいはまた結露水としてパネルの外部に流出するのを確実に防止することができるものである。
【００１７】
なお、上記庫内側開口部(7a)に通じるシーリング材嵌入用中空部(10)内において、吸水膨潤性シーリング材(11)を貼り付ける開口対向壁部は、凹凸状枠材(5)(6)のいずれか一方の側縁部に設けられておれば良い。あるいはまた、開口対向壁部は、凹凸状枠材(5)(6)の両方の側縁部に例えば半分ずつ設けられている場合もあり、この場合には、吸水膨潤性シーリング材(11)を両枠材(5)(6)の側縁部の開口対向壁部に跨がるように配置するが、その貼り付けは、いずれか一方の枠材側縁部の開口対向壁部に対してのみ行なえば良い。
【００１８】
【実施例】
つぎに、この発明の実施例を図面に基づいて説明する。
【００１９】
まず図１において、環境試験庫の庫壁を構成する断熱パネル(1)(2)は、それぞれ対向状に配置された一対のアルミニウム製表面板(3)(3)と、両表面板(3)(3)同士の間に介在された発泡ポリウレタン製の断熱材(4) と、パネル連結端面にそれぞれ取り付けられたポリ塩化ビニル樹脂製の凹凸状枠材(5)(6)とによって構成されている。そして隣り合う断熱パネル(1)(2)の凹凸状枠材(5)(6)が相互に嵌め合わせられることにより、目地部(7) が形成されている。
【００２０】
ここで、凹凸状枠材(5)(6)のうち、一方の凹状枠材(5) は、幅中央部の底壁部(5a)と、これの前後両側に連なるテーパ壁部(5b)(5b)と、これらの先端部に連なる水平断面略Ｌ形の側縁部(5c)(5c)とで構成されている。また、他方の凸状枠材(6) は、幅中央部の頂壁部(6a)と、これの前後両側に連なるテーパ壁部(6b)(6b)と、これらの先端部に連なりかつ表面板(3)(3)に対して平行な幅広の開口対向壁部(6c)(6c)と、これらの先端部に連なる水平断面略Ｌ形の側縁部(6d)(6d)とで構成されている。
【００２１】
そして、上記のように、断熱パネル(1)(2)の凹凸状枠材(5)(6)が相互に嵌め合わせられて接続されることにより、目地部(7) が形成されるとともに、目地部(7) の庫内側開口部寄り部分と庫外側開口部寄り部分に、凹状枠材(5) の水平断面略Ｌ形の側縁部(5c)(5c)と、凸状枠材(6) の幅広の開口対向壁部(6c)(6c)および水平断面略Ｌ形の側縁部(6d)(6d)とによってそれぞれ囲まれかつ庫内側開口部(7) および庫外側開口部(7b)に通じる中空部(10)(10)が形成されている。
【００２２】
上記目地部(7) の庫内側開口部(7a)および庫外側開口部(7b)には、シリコン・シーリング材よりなる汎用シーリング材(8)(8)がそれぞれ充填されて、開口部(7a)(7b)がそれぞれ塞がれている。
【００２３】
そして、この発明では、目地部(7) の庫内側開口部(7a)に通じる中空部(10)内において、凸状枠材(6) の幅広の開口対向壁部(6c)に、エーテル型ポリウレタンよりなる厚さ３mmおよび幅２０mmの吸水膨潤性シーリング材（商品名、アクアプレンＣ）(11)が、中空部(10)の略全長にわたってかつ汎用シーリング材(8) と対向するように、例えばウレタン系接着剤を介して接合されている。
【００２４】
ここで、上記吸水膨潤性シーリング材(11)は、環境試験庫の組立てのさい、庫壁を構成する一方の断熱パネル(2) の凸状枠材(6) の幅広の開口対向壁部(6c)に、予め接合されるものである。
【００２５】
従って、吸水膨潤性シーリング材(11)は他方の断熱パネル(1) の凹状枠材(5) とは接触しないため、環境試験庫の組立てのさいの隣接断熱パネル(1)(2)の凹凸状枠材(5)(6)同士の嵌合わせ作業が非常に簡単で、施工容易であるとともに、目地部(7) の間隔を一定に確実にとることができる。
【００２６】
上記において、環境試験庫が高温・高湿で運転されると、何らかの理由により、水蒸気が汎用シーリング材を透過して、目地部の内部に侵入しても、この水分が吸水膨潤性シーリング材(11)により吸収されて、該シーリング材(11)が約３倍に膨潤し、この吸水膨潤性シーリング材(11)によって中空部(10)内が完全に密閉され、蒸気のパネル(1)(2)内部への侵入や、庫外への噴き出し、あるいはまた結露水としてパネル(1)(2)の外部に流出するのが確実に防止されるものである。
【００２７】
こうして、環境試験庫内が高温・高湿の状態となされていても断熱パネル連結部の目地部(7) からパネル内へ水蒸気が侵入するのを確実に防止することができて、庫内の気密性を長期間保持し得るとともに、断熱パネル(1)(2)自体の断熱性の低下および強度の低下を防止し得るものである。
【００２８】
なお、この発明は、環境試験庫のパネル組立式試験庫、同乾燥庫、同高温庫、あるいは同加湿庫等の高温・高湿状態で使用されるパネル組立式建物に適用されるものである。
【００２９】
【発明の効果】
この発明は、上述のように、隣り合う庫壁構成断熱パネルの枠材同士が相互に嵌め合わせられることにより形成された目地部の庫内側開口部および庫外側開口部に汎用シーリング材がそれぞれ充填されている環境試験庫等において、該目地部の庫内側開口部寄り部分において両枠材の側縁部同士の間に庫内側開口部に通じるシーリング材嵌入用中空部が形成され、該中空部内に吸水膨潤性シーリング材が、庫内側開口部に対向する枠材の開口対向壁部に接合されて中空部の略全長にわたって収められ、環境試験庫等の高温・高湿運転時に汎用シーリング材によるシール部を透過した水分を吸収して膨潤した吸水膨潤性シーリング材により中空部が密閉されるようになされているもので、
吸水膨潤性シーリング材は、環境試験庫等の組立てのさい、庫壁を構成する一方の断熱パネルの枠材の開口対向壁部に、予め接合されるものであるから、吸水膨潤性シーリング材を他方の断熱パネルの枠材に接触することなく取り付けることができ、従って環境試験庫等の組立てのさいの隣接断熱パネルの枠材同士の嵌合わせ作業が非常に簡単で、施工容易であるとともに、目地部の間隔を一定に確実にとることができるものであり、例えば従来のように、パネル枠材の嵌合部分にパッキンを介在させた場合に、パネル枠材の嵌合のための大きな力を必要とせず、かつパッキンの反発力による目地部の広がり現象もなく、パネル枠材の嵌合作業を非常に簡単に行なうことができて、施工性にすぐれている。
【００３０】
しかも、吸水膨潤性シーリング材を、両パネル枠材の側縁部同士の間の中空部内に収めたから、外部からは見えず、従来のような目地部の庫内側開口部を覆う板材によって外観が損なわれるといった心配がない。
【００３１】
そうして、環境試験庫等の高温・高湿状態の運転時に、例えば施工上の欠陥や、運転中の汎用シーリング材の切れなどの何らかの理由により、水蒸気が汎用シーリング材を透過して、目地部の内部に侵入しても、吸水膨潤性シーリング材が膨潤して、いわゆる自己シール作用により、蒸気のパネル内部への侵入や、庫外への噴き出し、あるいはまた結露水としてパネルの外部に流出するのを確実に防止することができて、庫内の気密性を長期間保持し得るとともに、断熱パネル自体の断熱性の低下および強度の低下を防止し得るという効果を奏する。
【図面の簡単な説明】
【図１】この発明の実施例を示す庫壁の環境試験庫の庫壁を構成する断熱パネル連結部の部分断面図で、環境試験庫の運転前の状態を示している。
【図２】同断熱パネル連結部の部分断面図で、環境試験庫の運転後に、吸水膨潤性シーリング材が膨潤して、目地部が密閉された状態を示している。
【符号の説明】
１      断熱パネル
２      断熱パネル
５      枠材
６      枠材
６ｃ    開口対向壁部
７      目地部
７ａ    庫内側開口部
７ｂ    庫外側開口部
８      汎用シーリング材
１０    シーリング材嵌入用中空部
１１    吸水膨潤性シーリング材
【図１】
0003653578.tif 000002
【図２】
0003653578.tif 000003